Podtech/llm-jp-corpus-v4-ja_patent huggingface dataset:
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
光出力と複数の光入力とを有する光空間モード・マルチプレクサと、
前記光空間モード・マルチプレクサの前記光出力に一端が接続された光空間モード・フィルタと
を備え、
前記光空間モード・フィルタは、光伝搬モードのセットを有するマルチモード光ファイバに一端が接続されるように構成され、また、前記セットのうち前記マルチモード光ファイバ内での速度が選択された範囲内にある前記光伝搬モードを通過させ、前記セットのうち残りの前記光伝搬モードをブロックするように構成され、
前記光空間モード・フィルタは、バック・ツー・バック構成で接続された、光空間モード・デマルチプレクサと光空間モード・マルチプレクサとを含む、
装置。
【請求項２】
光空間モード多重化を介して前記マルチモード光ファイバに光信号ストリームを並行して送信することができる光送信器であって、前記光送信器は、光データ変調器のアレイを含み、前記アレイの各変調器は、前記複数の光入力のうちの１つに光学的に接続される、光送信器
をさらに備える、請求項１に記載の装置。
【請求項３】
前記マルチモード光ファイバと、前記マルチモード光ファイバを介して前記光送信器から前記光信号ストリームを受信するように接続された光データ受信器とをさらに備える、請求項２に記載の装置。
【請求項４】
光空間モード多重化を介して光信号を送信するように構成された光送信器と、
前記光送信器から前記送信された光信号を受信するように接続された近端を有し、光伝搬モードのセットを有する、少なくとも１つのスパンのマルチモード光ファイバと、
前記光信号をフィルタリングするように接続された光空間モード・フィルタと
を備えるシステムであって、
前記システムは、前記光伝搬モードのセットの真部分集合外の前記光伝搬モードの前記光信号を前記マルチモード光ファイバを介して実質的に送信することなく、前記真部分集合を介して前記マルチモード光ファイバを介して前記光信号を送信するように構成され、前記真部分集合は、選択されたインターバル内の光速度を有する、前記セットの前記光伝搬モードであり、
前記光空間モード・フィルタは、バック・ツー・バック構成で接続された、光空間モード・デマルチプレクサと光空間モード・マルチプレクサとを含む、
システム。
【請求項５】
前記光空間モード・フィルタは、前記真部分集合外の前記光伝搬モード上の光を、前記真部分集合内の前記光伝搬モード上の光より少なくとも１０デシベルだけ減衰させるように構成されている、請求項４に記載のシステム。
【請求項６】
前記マルチモード光ファイバを介して前記送信された光信号を受信し、前記真部分集合内の前記光伝搬モードの前記光信号だけに基づいて、前記マルチモード光ファイバから受信される光の多入力多出力処理または等化を実行するように接続された光データ受信器をさらに備える、請求項４に記載のシステム。
【請求項７】
光データ搬送ビームを作るために複数のデータ変調された光搬送波を並行して光空間モード多重化するステップと、
マルチモード光ファイバの端面で、事前に設定された範囲外の速度を有する光伝搬モードを励起することのできる光を除去するために前記光データ搬送ビームを光空間モード・フィルタリングするステップであって、バック・ツー・バック構成で接続された光空間モード・デマルチプレクサと光空間モード・マルチプレクサとを含む光空間モード・フィルタへ前記光データ搬送ビームを送信するステップを含む、光空間モード・フィルタリングするステップと、
前記事前に設定された範囲内の速度を有する前記マルチモード光ファイバの光伝搬モードを励起するために、前記光空間モード・フィルタリングされたデータ搬送ビームを前記端面へ送信するステップと
を含む方法。
【請求項８】
前記送信された光空間モード・フィルタリングされたデータ搬送ビームが前記マルチモード光ファイバの１つまたは複数のスパンをトラバースし終えた後に、前記送信された光空間モード・フィルタリングされたデータ搬送ビームの光空間モード・フィルタリングを実行するステップをさらに含む、請求項７に記載の方法。
【請求項９】
前記実行するステップは、事前に設定された範囲外の速度を有する前記光伝搬モードによって搬送される光を除去するように構成される、請求項８に記載の方法。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
神経学的なプロシージャのために計画情報を表すコンピュータ実装方法であって、該方法は：
神経学的なプロシージャを特徴付ける最初のデータセットを受け取り、
過去の神経学的なプロシージャに関する歴史データを含む1つ以上の歴史データベースにアクセスし、
最初のデータセットとの類似に基づいて、神経学的なプロシージャに関連する1つ以上の歴史データを認識し、
一つ以上の過去のデータから、神経学的なプロシージャに関連する1以上の手術パラメータを認識し、
そして  出力装置上で、一つ以上の神経学的なプロシージャパラメータを表示することを含む方法である。
【請求項２】
少なくとも一つの他のデータベースにアクセスし、最初のデータセットに含まれる識別情報に基づいて神経学的なプロシージャに関連する神経学的なプロシージャを特徴付ける追加データを識別し、そして第1のデータセットに追加データを加える機能を含む、請求項1に記載の方法。
【請求項３】
前記神経学的なプロシージャパラメータを表示することは、神経学的なプロシージャの関心領域の画像に重ねた一つ以上の過去の神経学的なプロシージャパラメータの指標を表示する機能を含む、請求項1又は２に記載の方法。 
【請求項４】
前記表示することは、脳手術の関心領域の画像に重ねた一つ以上の過去の侵入部位の位置の指標を表示し、そして一つ以上の手術パラメータは、脳手術のための侵入部位を含む、請求項４又は５に記載の方法。
【請求項５】
前記神経学的なプロシージャに関連する一つ又は複数の過去のデータを識別することは神経学的なプロシージャに関連する組織解析データに類似した組織分析データに関連する1つ以上の過去のデータを識別することを含み、前記一つ以上の過去のプロシージャパラメータを識別することは、一つ以上の過去のデータに関連する診断を識別する機能を含む、請求項1〜3のいずれか１項に記載の方法。
【請求項６】
前記最初のデータセットは、神経学的なプロシージャに関連する画像データを含み、方法はさらに画像データ内の位置を選択する入力を受信し、選択された位置に関連する組織分析データに基づいて神経学なプロシージャに関連する一つまたは複数の過去のデータを認識する機能を含む、請求項7に記載の方法。
【請求項７】
前記神経学的なプロシージャに関連する一つまたは複数の過去のデータを識別する方法は、神経学的なプロシージャに類似する画像データに関連する1つまたは複数の過去のデータを識別する機能を含む、請求項1〜８のいずれか１項に記載の方法。
【請求項８】
神経学的なプロシージャの情報を提供システムであって、このシステムは：
二つ以上のデータベース（各々が異なる脳手術に関連する情報を保存する）と通信している一つ以上のプロセッサを含む中央システムを含み、
中央システムによって実行可能な一つ以上のデータ処理モジュールを含むシステム。
前記データ処理モジュールが計画モジュールを含み、前記計画モジュールが実行されたら、システムは：
手術を特徴付ける最初のデータセットを受け取り、
過去の手術に関する歴史データを含む1以上の歴史データベースをアクセスし、
最初のデータセットとの類似に基づいて、脳手術に関連する1以上の歴史データを認識し、
過去のデータから、脳手術に関連する1以上の過去の手術パラメータを認識し、出力装置上で、一つ以上の手術パラメータの一つ以上の過去のインスタンスを表示するシステムである。
【請求項９】
前記計画モジュールによってシステムはさらに、少なくとも一つの他の局部的または遠隔データベースにアクセスし、最初のデータセットの識別情報に基づいて、神経学的なプロシージャを特徴付ける付加的なデータを識別し、最初のデータセットにデータを追加する、 請求項15に記載のシステム。
【請求項１０】
前記計画モジュールによってシステムははさらに、神経学的プロシーの関心領域の画像に重ねた一つ以上の過去のプロシージャのパラメータの指標を表示する出力デバイスを引き起こす請求項15又は16に記載のシステム。 
【請求項１１】
前記一つ以上のプロシージャパラメータは、脳手術のための侵入部位を含み、請求項18又は19に記載のシステムであって、前記計画モジュールによってシステムは、脳手術の関心領域の画像にかさねて、1つ以上の過去の侵入部位の指標を出力デバイスに表示する。
【請求項１２】
計画モジュールによってしすてむはさらに、神経学的なプロシージャに関連する組織解析データに類似する組織分析データに関連する歴史データを識別することによって、神経学的なプロシージャに関連する歴史データを決定し、過去のデータに関連する診断を決定することによって、過去のプロシージャのパラメータを決定する、請求項15〜20のいずれかに記載のシステム。
【請求項１３】
前記最初のデータセットは、神経学的なプロシージャに関連する画像データを含み、計画モジュールによってシステムはさらに、画像データ内の位置を選択する入力を受信し、
選択された位置に関連する組織解析データに基づいて、神経学的なプロシージャ関連する一つまたは複数の過去のデータを決定する、請求項21に記載のシステム。 
【請求項１４】
計画モジュールによってシステムはさらに、神経学的なプロシージャに関連する画像データに類似する画像データに関連する1つまたは複数の歴史データを識別することによって、神経学的なプロシージャに関連する一つまたは複数の過去のデータを決定する、請求項15-22のいずれかに記載のシステム。 
【請求項１５】
計画モジュールによってシステムはさらに、1つ以上の過去のデータに関連する1つまたは複数のプロシージャの結果を出力装置に表示させる請求項15-23のいずれかに記載のシステム。
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
骨孔（１）内で少なくとも１つの軟質材料からなる束（１０）の端部を捕捉するための装置であって、当該装置は、
−骨孔の外径と同様の外径を有するはめ輪（１００）と、
−外側ねじ山（２０１）を有するスクリュー（２００）と、
−外面（３０１）を有するワッシャ（３００）と、を備え、
前記はめ輪は、
−第１長手方向軸（１０１）に沿って延在する長手方向管（１１０）と、
−遠位端部（１２０）と、
−近位端部（１３０）と、
−近位縁部（１３１）と、
−内面（１４２）を有する近位上方リム（１４０）と、
−内側ねじ山（１５２）を有して第２長手方向軸（１５１）に沿って延在するねじ留め要素（１５０）であって、第２長手方向軸（１５１）は前記はめ輪の長手方向軸（１０１）に対してα度傾斜しており、内側ねじ山（１５２）は前記スクリュー（２００）の外側ねじ山（２０１）と相補関係にある、ねじ留め要素（１５０）と、を備え、
捕捉のための装置は、前記スクリュー（２００）が前記ワッシャ（３００）とともに内側ねじ山（１５２）にねじ込まれると、前記ワッシャ（３００）の外面（３０１）が近位上方リム（１４０）の内面（１４２）に接近し、上方通路が両者の間に構成され、これにより軟質材料が突出して当該軟質材料が捕捉されるように構成されている、
ことを特徴とする、捕捉のための装置。
【請求項２】
−前記スクリュー（２００）のヘッド（２１０）と前記ワッシャ（３００）は、両者とも６０°乃至１２０°の間であって好適には９０°の截頭円錐形状に構成されており、
−前記ワッシャ（３００）は、前記スクリューのヘッド（２１０）の外周（２１１）をスリーブのように取り囲み、
−近位上方リム（１４０）の内面（１４２）は、相補的にアーチ形の截頭円錐形状に構成されるとともに、その第２長手方向軸（１５１）は、前記はめ輪（１００）の第１長手方向軸（１０１）に対して３０°乃至６０°の間の傾きであって好適には４５°の傾きを有しており、
−前記ワッシャ（３００）は、選択的に、少なくとも１つの突起（３２０）へと延長されている、
ことを特徴とする、請求項１に記載の捕捉のための装置。
【請求項３】
軟質材料の捕捉を強化することを目的として、近位上方リム（１４０）の内面（１４２）に溝（１７０）が設けられている、
ことを特徴とする、請求項１又は２に記載の捕捉のための装置。
【請求項４】
前記はめ輪（１００）の近位縁部（１３１）の両側に凹部（１８０）がそれぞれ設けられ、
これらの凹部（１８０）を介して、前記スクリュー（２００）のヘッド（２１０）の一部と前記ワッシャ（３００）の一部が突出し、
前記ワッシャ（３００）が前記はめ輪（１００）の近位端部（１３０）の内面に接触したとき、最大保持位置に達する、
ことを特徴とする、請求項１乃至３のいずれかに記載の捕捉のための装置。
【請求項５】
前記ワッシャ（３００）と前記スクリュー（２００）のヘッドとの間に、これらの分離を阻止する取付要素（３１０）が設けられている、
ことを特徴とする、請求項１乃至４のいずれかに記載の捕捉のための装置。
【請求項６】
内側ねじ山（１５２）は、前記はめ輪（１００）の内側の下壁に構成されるとともに切頂されており、
選択的に、前記スクリューには中央長手方向管（２０２）が設けられ、この中央長手方向管を介してガイドがねじ込みのために導入される、
ことを特徴とする、請求項１乃至５のいずれかに記載の捕捉のための装置。
【請求項７】
前記はめ輪（１００）の遠位端部（１２０）は斜行した末尾を有して、前記はめ輪の骨孔への挿入を容易にしている、
ことを特徴とする、請求項１乃至６のいずれかに記載の捕捉のための装置。
【請求項８】
前記各はめ輪（１００）に対して、ハンドル（４１０）と、ロッド（４２０）と、遠位連結部（４３０）とを有するフライス・キー（４００）が設けられ、
遠位連結部（４３０）内には、長手方向軸に対して、及び、使用される前記はめ輪（１００）の第２長手方向軸（１５１）の皿穴と一致する骨孔の皿穴に対する相対的位置を維持する管（４３１）からなるフライス・ガイドが設けられる、
ことを特徴とする、請求項１乃至７のいずれかに記載の捕捉のための装置。
【請求項９】
前記各はめ輪に対して、軟質材料（１０）を捕捉するための暫定的な捕捉楔（５００）が設けられ、
捕捉楔（５００）は、鋭角の遠位端部（５０１）と、軟質材料に接触する平滑な背部（５０２）と、前記はめ輪（１００）の内側ねじ山（１５２）の下部に収容されるステップ（５０４）を有する下面（５０３）と、軟質材料の暫定的な固定や捕捉楔の引抜きの際にその取り扱いを容易とする把持要素（５０５）を有する近位端部と、を有している、
ことを特徴とする、請求項１乃至８のいずれかに記載の捕捉のための装置。
【請求項１０】
捕捉のための装置は、ポリマー材料から、好適には、放射線透過性のポリマー材料から構成されている、
ことを特徴とする、請求項１乃至９のいずれかに記載の捕捉のための装置。
【請求項１１】
前記はめ輪、前記スクリュー及び前記ワッシャは、単数又は複数の生体適合性材料から構成されている、
ことを特徴とする請求項１乃至１０のいずれかに記載の補足のための装置。
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
治療中に使用されるカテーテル又はニードルの挿入位置のセットを決定する治療計画システムであって、
少なくとも１つの治療対象構造を導出可能である医用画像を提供する画像提供モジュールと、
複数のカテーテル又はニードルの挿入位置を含むカテーテル又はニードルの挿入のための１つ又は１セットの所定の標準パターンを提供するパターン提供モジュールと、
費用関数を使用することによって、１つ以上の標準パターンを、前記少なくとも１つの治療対象構造の患者に固有の形状に適応させる患者固有最適化モジュールと、
を含み、
前記複数のカテーテル又はニードルの挿入位置は、前記少なくとも１つの治療対象構造における治療位置に関連し、
前記費用関数は、結果として得られるパターンの、前記標準パターンの形及び／又は左右対称性からの逸脱に対するペナルティ項を含むことを特徴とする、治療計画システム。
【請求項２】
前記標準パターンの形状と前記少なくとも１つの治療対象構造との比較に基づいて、又は、前記標準パターンからもたらされる治療線量と所定の線量拘束値との比較に基づいて、前記所定の標準パターンの前記セットからの１つ以上のカテーテル又はニードルの挿入パターンの選択を可能にするモジュールを更に含む、請求項１に記載の治療計画システム。
【請求項３】
前記パターン提供モジュールは、前記少なくとも１つの治療対象構造の形状について規則ベースである、前記１つ又は前記セットの前記所定の標準パターンを生成する、請求項１に記載の治療計画システム。
【請求項４】
前記所定の標準パターンの前記セットを、データベースから取り出す、請求項１に記載の治療計画システム。
【請求項５】
アクセス不可領域のセグメント化セグメント化を可能にし、
挿入点から治療位置までの軌道が、前記アクセス不可領域に入るかどうか又は前記アクセス不可領域を通過するかどうかを自動的に決定する、請求項１に記載の治療計画システム。
【請求項６】
前記患者固有最適化モジュールは、
ｘ、ｙ又はｚ方向の少なくとも１つにおける前記標準パターンの均等スケーリング、
ｘ、ｙ又はｚ方向の少なくとも１つにおけるカテーテル又はニードルの挿入位置のブロックの左右対称的なシフティング、
ｘ、ｙ又はｚ方向の少なくとも１つにおけるカテーテル又はニードルの挿入位置のブロックの左右非対称的なシフティング、
ｘ、ｙ又はｚ方向における単一のカテーテル又はニードルの挿入位置のシフティング、
前記標準パターンからの／への単一のカテーテル又はニードルの挿入位置の除去又は追加、
の少なくとも１つを許可することによって、前記１つ以上の標準パターンを適応させる、請求項１に記載の治療計画システム。
【請求項７】
ｘ、ｙ又はｚ方向における前記標準パターンの最大可能スケーリング、
個別に動かされるカテーテル又はニードルの挿入点の最大可能数、
単一のカテーテルが移動した距離に依存するペナルティ、
前記標準パターンの左右非対称性に対するペナルティ、
前記標準パターンからの全体的な逸脱の尺度、
追加及び／又は除去してよいカテーテル又はニードルの挿入位置の最大可能総数、
前記少なくとも１つの治療対象構造の表面からの前記カテーテルの距離に依存するペナルティ、
照射不足部及び照射過剰部を阻止するように、結果として得られる線量分布に対するペナルティ、
の少なくとも１つを設定することによって、ユーザが前記ペナルティ項に影響を及ぼすことを可能にする、請求項６に記載の治療計画システム。
【請求項８】
カテーテル又はニードルの挿入点から前記治療位置までの軌道が、前記アクセス不可領域に入る又は前記アクセス不可領域を通過する場合に、前記標準パターンから、前記カテーテル又はニードルの挿入位置を除去する、請求項５に記載の治療計画システム。
【請求項９】
前立腺の治療を計画するために構成されたモジュールが、
前記前立腺の中央部を含む医用画像スライスを自動的に選択するステップと、
前記前立腺の中央部に、前記所定の標準パターンの前記セットからの複数の標準パターンを投射するステップと、
前記複数の標準パターンの形状を、前記前立腺の中央部と比較するか、又は、前記複数の標準パターンからもたらされる結果として得られる線量を、所定の線量拘束値と比較するステップと、
前記形状が前記前立腺の中央部の形状と最大の相似を有するか、又は、治療線量が前記所定の線量拘束値とベストマッチする１つ以上の標準パターンを選択するステップと、
を行う、請求項１に記載の治療計画システム。
【請求項１０】
前記選択を許可するモジュールは、前記所定の標準パターンの前記セットから、標準パターンを自動的に選択する、請求項２に記載の治療計画システム。
【請求項１１】
前記モジュール又は前記ユーザによる前記カテーテル又はニードルの挿入パターンの選択後に、１つ以上の選択された標準パターンの最適化を行う、請求項６に記載の治療計画システム。
【請求項１２】
選択された前記標準パターンは、前記少なくとも１つの治療対象構造の線量拘束値及び少なくとも１つのリスクのある臓器に基づいて、最適化される、請求項６に記載の治療計画システム。
【請求項１３】
前記少なくとも１つの治療対象構造から医用画像を取得し、前記医用画像を前記画像提供モジュールに提供する医用撮像ユニットを含む、請求項１に記載の治療計画システム。
【請求項１４】
複数の選択された標準パターンを表示して、前記複数の選択された標準パターンから、ユーザが好適なカテーテル又はニードルの挿入パターンを選択することを許可するディスプレイを更に含み、
更に、前記ユーザによって選択された標準パターンに関するユーザ入力を受信する、請求項１に記載の治療計画システム。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
ピストンおよび連結ロッドアセンブリであって、
上部クラウン部および下側側壁部を有するピストン本体を備え、前記上部クラウン部および下部クラウン部は、一体のピストン本体を形成するために一体的にともに接合され、
前記ピストン本体は、前記上部クラウン部と前記下側側壁部との間に形成される冷却ギャラリを有し、
前記下側側壁部は、ピストンボスを有し、前記ボスは連結ロッドを受けるためのポケットを含み、前記ピストンおよび前記連結ロッドアセンブリはさらに、
ボール型端部を有する連結ロッドを備え、前記ボール型端部は前記ポケット内に配置される、ピストンおよび連結ロッドアセンブリ。
【請求項２】
前記冷却ギャラリは、閉じたギャラリを備える、請求項１に記載のピストンおよび連結ロッドアセンブリ。
【請求項３】
オイルの入口および出口ための前記冷却システム内の複数の開口部をさらに備える、請求項２に記載のピストンおよび連結ロッドアセンブリ。
【請求項４】
前記冷却ギャラリは、開いたギャラリを備える、請求項１に記載のピストンおよび連結ロッドアセンブリ。
【請求項５】
前記連結ロッドの前記ボール型端部は、２つの対向する平面およびその間の第１の曲面を有する、請求項１に記載のピストンおよび連結ロッドアセンブリ。
【請求項６】
前記ボス内の前記ポケットは、前記第１の曲面の形状に対応する第２の曲面を有する、請求項５に記載のピストンおよび連結ロッドアセンブリ。
【請求項７】
前記ボール型端部は、前記ポケットの幅に実質的に等しい幅を有する、請求項１に記載のピストンおよび連結ロッドアセンブリ。
【請求項８】
前記ボール型端部は、一対の平面を有し、前記ポケット内において最終的な動作位置から９０°の位置に初期的に配置されるように適合される、請求項１に記載のピストンおよび連結ロッドアセンブリ。
【請求項９】
前記ポケット内に前記連結ロッドの前記ボール型端部を固定し、前記連結ロッドが長手軸の周りに前記ピストン本体の回転することを防止するための、締結部をさらに備える、請求項１に記載のピストンおよび連結ロッドアセンブリ。
【請求項１０】
前記締結部は、Ｃクリップを備え、前記ボス内の溝内に配置される、請求項９に記載のピストンおよび連結ロッドアセンブリ。
【請求項１１】
前記ピストン本体内に複数のピストンリング溝をさらに備える、請求項１に記載のピストンおよび連結ロッドアセンブリ。
【請求項１２】
少なくともの１つの前記ピストンリング溝は、前記クラウン部内に位置される、請求項１に記載のピストンおよび連結ロッドアセンブリ。
【請求項１３】
前記ボール型端部は円筒形である、請求項１に記載のピストンおよび連結ロッドアセンブリ。
【請求項１４】
前記ボール型端部は、実質的に平らな２つの側面および湾曲した円筒形の外周面を有する、請求項１３に記載のピストンおよび連結ロッドアセンブリ。
【請求項１５】
前記２つの側面の少なくとも１つに、少なくとも１つの凹部をさらに備える、請求項１４に記載のピストンおよび連結ロッドアセンブリ。
【請求項１６】
前記側面の各々に、少なくとも１つの凹部をさらに備える、請求項１４に記載のピストンおよび連結ロッドアセンブリ。
【請求項１７】
上部クラウン部および下側側壁部を有するピストン本体を備え、前記上部クラウン部および下部クラウン部は、一体のピストン本体を形成するために一体的にともに接合され、
前記ピストン本体は、前記上部クラウン部と前記下側側壁部との間に形成される冷却ギャラリを有し、
前記下側側壁部は、ピストンボスを有し、前記ボスは連結ロッドを受けるためのポケットを含む、ピストン。
【請求項１８】
前記冷却ギャラリは、閉じたギャラリを備える、請求項１７に記載のピストン。
【請求項１９】
オイルの入口および出口ための前記冷却システム内の複数の開口部をさらに備える、請求項１８に記載のピストン。
【請求項２０】
前記冷却ギャラリは、開いたギャラリを備える、請求項１７に記載のピストン。
【請求項２１】
前記ポケットに隣接する少なくとも１つの溝をさらに備え、前記溝は、連結ロッドを所定の位置に固定し、その回転を防止するために、締結部を受けるように適合される、請求項１７に記載のピストン。
【請求項２２】
前記ポケットは、円筒形である、請求項１７に記載のピストンおよび連結ロッド。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
固定接続ポイントと移動接続ポイントとの間で、ケーブルやホースなどの少なくとも一つのラインを保護すると共に案内するため、複数のセグメント（１１０、１１２、２１０、３１０）が、所定半径で湾曲する反転円弧部（１０６、２０６）で湾曲し得るように互いにフレキシブルそして弾性的に連結されると共に、長手軸に沿って一体的に形成され、
前記各セグメントの夫々は少なくとも一つのホルダー（１２３、２２３、３２３）を備え、
前記ホルダーには、開放状態でラインをセットし、長手軸（Ｌ）に対して横方向から閉じる閉成状態でラインを保持する挿通空間（１３０、２３０、３３０）が形成されて成るラインガイドにおいて、
夫々のセグメントは、第一のフレキシブルな線条体（１２０、２２０、３２０）と第二のフレキシブルな線条体（１２０、２２０、３２０）により弾性的に連結され、
前記各線条体間に一体的に形成される少なくとも一つの幅方向連結部（１２２、２２２、３２２）が、前記ホルダーの閉成状態で長手軸（Ｌ）の周りにアーチ状又はループ状に形成され、
二本の線条体（１２０、２２０、３２０）は、前記挿通空間の側面に沿って、挿通空間（１３０、２３０、３３０）と交差する中立線を形成する位置に配されたことを特徴とするラインガイド。
【請求項２】
前記閉成状態で二本の線条体（１２０、２２０、３２０）が、挿通空間（１３０、２３０、３３０）の側面中央に配され、前記線条体が、挿通空間をその高さの半分の位置で横切るように予め中立線に沿って配された請求項１記載のラインガイド。
【請求項３】
それぞれのセグメント（１１０、１１２、２１０、３１０）に形成される各ホルダー（１２３、２２３、３２３）が、一つまたはそれ以上の幅方向連結部（１２２、２２２、３２２）を個別に備えた請求項１又は２記載のラインガイド。
【請求項４】
前記幅方向連結部（１２２、３２２）は、部分的に又は全体的に柔軟で折曲げ可能に形成され、ホルダー（１２３、３２３）が閉成状態で円弧及び／又は多角形形状のアーチ状、ループ状に形成される請求項３記載のラインガイド。
【請求項５】
前記幅方向連結部（２２２）は、部分的に剛体であるいは全体的に剛体で形成され、長手軸（Ｌ）の周りに位置するように、アーチ状又はループ状の形態に形成された請求項３記載のラインガイド。
【請求項６】
各ホルダー（１２３、２２３、３２３）は、閉じるためにラッチ端部、ホック、ロックなどのクロージャ（１２４ａ、１２６ａ、１２４ｂ、１２６ｂ、２２４、２２６、３２４、３２６）を備えた請求項１〜５いずれか記載のラインガイド。
【請求項７】
前記各クロージャ（１２４ａ、１２６ａ、１２４ｂ、１２６ｂ）には、直線状態で作用する曲げ荷重を支える当接端面（１４０）が形成された請求項６記載のラインガイド。
【請求項８】
前記幅方向連結部（２２２）のそれぞれには、長手軸の前後方向に延びる二つの剛性突起に、直線状態で作用する曲げ荷重を支える当接端面（２４０）が形成された請求項１〜７いずれか記載のラインガイド。
【請求項９】
前記クロージャに、スナップフック（１３５、２２４、２２６）、特に、先端で互いに係合する弾性的に湾曲可能な二つのスナップフック（２２４、２２６）が形成された請求項６記載のラインガイド。
【請求項１０】
前記セグメント（１１０、１１２、２１０）の当接端面（１４０、２４０）間の長手軸方向の寸法は、セグメントの通常の長手軸方向長さ（Ｉ）よりわずかに大きく形成されて成る請求項７又は８記載のラインガイド。
【請求項１１】
前記ホルダーの夫々は、クロージャ（１２４ａ、１２６ａ、１２４ｂ、１２６ｂ、２２４、２２６、３２４、３２６）と幅方向連結部（１２２、２２２）から形成され、
好ましくは、前記クロージャ及び幅方向連結部が概ね同一線上に配列されて成る請求項１〜１０いずれか記載のラインガイド。
【請求項１２】
二本の線条体（１２０、２２０、３２０）が、弾性的に湾曲し予め設定された半径の反転円弧部（１０６、２０６）を形成する請求項１〜１１いずれか記載のラインガイド。
【請求項１３】
二つの幅方向連結部間の線条体の自己保持間隔（Ｆ）は、線条体の厚さ（Ｓ）の少なくとも３倍以上、好ましくは５倍以上である請求項１２記載のラインガイド。
【請求項１４】
二つの幅方向連結部間の線条体の自己保持間隔（Ｆ）は、線条体の厚さ（Ｓ）の多くとも１５倍以下、好ましくは１０倍以上である請求項１２又は１３記載のラインガイド。
【請求項１５】
二本の線条体（１２０、２２０、３２０）の断面が、ケーブルまたはバンド形状に形成された請求項１〜１４いずれか記載のラインガイド。
【請求項１６】
前記線条体（１２０）間の幅方向連結部（１２２、２２２、３２２）の周方向長さが、中立線の高さ位置における挿通空間（１３０、２３０、３３０）の幅方向長さの少なくとも１５０％であり、また、挿通空間全周に対して、好ましくは３０〜７０％の範囲、より好ましくは４０〜６０％の範囲で形成された請求項１〜１５いずれか記載のラインガイド。
【請求項１７】
先端に位置するセグメントを強固に、且つ、確実に固定するための係合手段（１４２、２４２）を備え、ワンピースに形成された請求項１〜１６いずれか記載のラインガイド。
【請求項１８】
二本の線条体（１２０、２２０、３２０）は、実質的に平行に延設されると共に、動作状態で互いに対向する位置に配され、
それぞれの幅方向連結部（１２２、２２２、３２２）が、通常の長手軸方向間隔（Ｆ）で線条体に対して直角に延びるように設けられた請求項１〜１７いずれか記載のラインガイド。
【請求項１９】
自動車座席と電力供給線及び／又は信号線との接続に用いられる請求項１〜１８いずれか記載のラインガイド。
【請求項２０】
自動車座席と、少なくとも一つの電力供給線及び／又は信号線と、当該電力供給線及び／又は信号線を保護する請求項１〜１８いずれか記載のラインガイドとを備えた装置。
【手続補正書】
【提出日】平成29年10月26日(2017.10.26)
【手続補正１】
【補正対象書類名】明細書
【補正対象項目名】０１０２
【補正方法】変更
【補正の内容】
【０１０２】
このように、青色エッジフィルタ光学レンズの実施形態が開示される。当業者は、本明細書に記載される光学フィルム及びフィルム物品は、開示の実施形態以外の実施形態と共に実施され得ることを認識するであろう。開示される実施形態は例示の目的で示されるものであり、限定を目的とするものではない。本発明の実施態様の一部を以下の項目［１］−［２６］に記載する。
［項目１］
光学レンズであって、
湾曲ポリマ基材と、
前記湾曲ポリマ基材に配置されるポリマ干渉フィルタと、を含み、
前記光学レンズが、約４００ｎｍ又はそれ未満の短波長帯域端及び４２０〜４４０ｎｍの範囲の長波長帯域端を有する青色光帯域に対して２％未満の平均光透過率を有しており、前記長波長帯域端より１０ｎｍ又はそれよりも長い波長を有する青色光を実質的に透過する、光学レンズ。
［項目２］
前記ポリマ干渉フィルタが、４００〜４４０ｎｍの範囲のすべての青色光の少なくとも９９％を反射して、４５０ｎｍ超のすべての青色光の少なくとも５０％を透過する、項目１に記載の光学レンズ。
［項目３］
ＵＶ及び紫色光吸収材料を更に含む、項目１に記載の光学レンズ。
［項目４］
前記ポリマ干渉フィルタが、４１５〜４４０ｎｍのすべての青色光の少なくとも９９％を反射して、４５０ｎｍ超のすべての青色光の少なくとも７０％を透過する、項目３に記載の光学レンズ。
［項目５］
前記ポリマ干渉フィルタと前記湾曲ポリマ基材の間に配置される黄色光吸収材料を更に含む、項目１に記載の光学レンズ。
［項目６］
前記光学レンズが、幅（ＦＷＨＭ）４０ｎｍ未満である５６０〜６００の範囲内の光の第２の帯域を遮断する、項目１に記載の光学レンズ。
［項目７］
前記湾曲ポリマ基材を前記ポリマエッジフィルタに固定する接着材層を更に含み、前記湾曲ポリマ基材が球状に湾曲している、項目１に記載の光学レンズ。
［項目８］
前記光学レンズが、３００ｎｍ〜４４０ｎｍの青色光帯域に対して１％未満の平均光透過率を有し、４５０ｎｍ超のすべての青色光の少なくとも７０％を透過する、項目１に記載の光学レンズ。
［項目９］
第２の湾曲ポリマ基材を更に含み、前記ポリマ干渉フィルタが前記ポリマ基材を前記第２のポリマ基材から分離する、項目１に記載の光学レンズ。
［項目１０］
項目１に記載の光学レンズを含む眼鏡。
［項目１１］
光学レンズであって、
湾曲ポリマ基材と、
前記湾曲ポリマ基材に配置されるポリマ干渉フィルタと、を含み、
前記光学レンズが、４００ｎｍ〜４２０ｎｍの青色光帯域に対して２％未満の平均光透過率を有し、４３０ｎｍ超の青色光を実質的に透過する、光学レンズ。
［項目１２］
前記ポリマ干渉フィルタが、４３０ｎｍ超の可視光の少なくとも７０％を透過する、項目１１に記載の光学レンズ。
［項目１３］
ＵＶ吸収材料を更に含む、項目１１に記載の光学レンズ。
［項目１４］
前記光学レンズが、３００ｎｍ〜４２０ｎｍの青色光帯域に対して１％未満の平均光透過率を有し、４３０ｎｍ超のすべての可視光の少なくとも７０％を透過する、項目１３に記載の光学レンズ。
［項目１５］
項目１１に記載の光学レンズを含む眼鏡。
［項目１６］
光学レンズであって、
湾曲ポリマ基材と、
前記湾曲ポリマ基材に配置される多層光学赤外線反射フィルムと、を含み、該多層光学赤外線反射フィルムが、４００〜４４０ｎｍの範囲の青色光帯域を反射して、実質的に４５０ｎｍ超の青色光を透過する高次高調波を有する、光学レンズ。
［項目１７］
ＵＶ吸収材料を更に含む、項目１６に記載の光学レンズ。
［項目１８］
紫色光吸収材料を更に含む、項目１７に記載の光学レンズ。
［項目１９］
前記光学レンズが、幅（ＦＷＨＭ）４０ｎｍ未満である５６０〜６００の範囲内の光の第２の帯域を遮断する、項目１６に記載の光学レンズ。
［項目２０］
前記多層光学赤外線反射フィルムが、４０ｎｍ未満のＦＷＨＭを有する黄色光の帯域を反射し、及び、該ＦＷＨＭ値の１／２超である幅を有する黄色光の前記反射帯域の底値１％を反射する、項目１６に記載の光学レンズ。
［項目２１］
前記光学レンズが、４００ｎｍ〜４４０ｎｍの青色光帯域に対して２％未満の平均光透過率を有し、４５０ｎｍ超の青色光を実質的に透過する、項目１６に記載の光学レンズ。
［項目２２］
光学レンズであって、
球状に湾曲したポリマ基材と、
前記球状に湾曲したポリマ基材に配置されるポリマ帯域消去フィルタと、を含み、該ポリマ帯域消去フィルタが、４０ｎｍ未満のＦＷＨＭを有する黄色光の帯域を反射し、及び、該ＦＷＨＭ値の１／２超である幅を有する黄色光の前記反射帯域の底値１％を反射する、光学レンズ。
［項目２３］
黄色光の前記反射帯域が５６０〜６００ｎｍの範囲にあり、２５ｎｍ超である幅を有する底帯域内の光の前記底値１％である、項目２２に記載の光学レンズ。
［項目２４］
黄色光の前記反射帯域が５３０〜５７０ｎｍの範囲にあり、２５ｎｍ超である幅を有する底帯域内の光の前記底値１％である、項目２２に記載の光学レンズ。
［項目２５］
第２の球状に湾曲したポリマ基材を更に含み、前記ポリマエッジフィルタが前記球状に湾曲したポリマ基材を該第２の球状に湾曲したポリマ基材から分離する、項目２２に記載の光学レンズ。
［項目２６］
光学レンズであって、
球状に湾曲したポリマ基材と、
前記球状に湾曲したポリマ基材に配置されるポリマ干渉フィルタと、を含み、該ポリマ干渉フィルタが、４０ｎｍ未満のＦＷＨＭを有する可視光の帯域を反射し、及び、該ＦＷＨＭ値の１／２超である幅を有する可視光の前記反射帯域の底値１％を反射する、光学レンズ。
【手続補正２】
【補正対象書類名】特許請求の範囲
【補正対象項目名】全文
【補正方法】変更
【補正の内容】
【特許請求の範囲】
【請求項１】
光学レンズであって、
湾曲ポリマ基材と、
前記湾曲ポリマ基材に配置されるポリマ干渉フィルタと、を含み、
前記光学レンズが、約４００ｎｍ又はそれ未満の短波長帯域端及び４２０〜４４０ｎｍの範囲の長波長帯域端を有する青色光帯域に対して２％未満の平均光透過率を有しており、前記長波長帯域端より１０ｎｍ又はそれよりも長い波長を有する青色光を実質的に透過する、光学レンズ。
【請求項２】
ＵＶ及び紫色光吸収材料を更に含む、請求項１に記載の光学レンズ。
【請求項３】
請求項１に記載の光学レンズを含む眼鏡。
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
データを記憶する少なくとも１つのメモリ装置と；
医療装置と外部の装置又はネットワークとの間の通信を可能にするために第１の通信経路を定める通信インターフェイスと；
ハードウェアキーを受け入れるように構成されたハードウェアキーインターフェイスであり、第１の通信経路とは別個の第２の通信経路を定めるハードウェアキーインターフェイスと；を含む医療装置であって、
ハードウェアキーインターフェイスがハードウェアキーに物理的に接続されない限り少なくとも１つのメモリ装置上のデータを修正することができない、医療装置。
【請求項２】
医療装置が、試験センサ上に提供された試料中の検体濃度を決定するメータであり、メータが、試験センサを受け入れるために試験センサポートを含み、試験センサポートが、ハードウェアキーインターフェイスとして機能する、請求項１に記載の医療装置。
【請求項３】
試験センサ上の電極と接続しかつ電極を介して試薬と試験センサ上の試料との間の反応から電気化学的信号を受信するように構成された複数の接点であり、電気化学的信号が検体濃度を指示し、ハードウェアキーからキーコードを受信するように更に構成された複数の接点、を更に含み、ハードウェアキーによって提供されたキーコードが検証されない限り少なくとも１つのメモリ装置上のデータを修正することができない、請求項２に記載の医療装置。
【請求項４】
ハードウェアキーが、複数の接点によって検出された抵抗を提供する導電線を含み、抵抗が、キーコードを定める、請求項３に記載の医療装置。
【請求項５】
試験センサ上の導電線と接続しかつ導電線を介して試薬と試験センサ上の試料との間の反応に対応する較正コードを受信するように構成された複数の接点であり、ハードウェアキーからキーコードを受信するように更に構成された複数の接点、を更に含み、ハードウェアキーによって提供されたキーコードが検証されない限り少なくとも１つのメモリ装置上のデータを修正することができない、請求項２に記載の医療装置。
【請求項６】
ハードウェアキーインターフェイスに接続されたハードウェアキーを検出するように構成された検出器を更に含む、請求項１に記載の医療装置。
【請求項７】
ハードウェアキーがキーコードコンポーネント及び導電線を含み、ハードウェアキーインターフェイスが導電線を介してキーコードを受信し、ハードウェアキーによって提供されるキーコードが検証されない限り少なくとも１つのメモリ装置上のデータを修正することができない、請求項１に記載の医療装置。
【請求項８】
医療装置システムであって：
データを記憶する少なくとも１つのメモリ装置と；
医療装置と外部の装置又はネットワークとの間の通信を可能にするために第１の通信経路を定める通信インターフェイスと；
第１の通信経路とは別個の第２の通信経路を定めるハードウェアキーインターフェイスと、を含む医療装置と；
ハードウェアキーインターフェイスによって定められた第２の通信経路を介してメータに接続されるように構成されたハードウェアキーと；を含む医療装置システムであり、
ハードウェアキーインターフェイスがハードウェアキーに物理的に接続されない限り、少なくとも１つのメモリ装置上のデータを修正することができない、医療装置システム。
【請求項９】
医療装置が、試験センサ上に提供された試料中の検体濃度を決定するメータであり、メータが、試験センサを受け入れるために試験センサポートを含み、試験センサポートが、ハードウェアキーインターフェイスとして機能する、請求項８に記載の医療装置システム。
【請求項１０】
メータが、試験センサ上の電極と接続しかつ電極を介して試薬と試験センサ上の試料との間の反応から電気化学的信号を受信するように構成された複数の接点であり、電気化学的信号が検体濃度を指示し、ハードウェアキーからキーコードを受信するように更に構成された複数の接点、を更に含み、ハードウェアキーによって提供されたキーコードが検証されない限り少なくとも１つのメモリ装置上のデータを修正することができない、請求項９に記載の医療装置システム。
【請求項１１】
ハードウェアキーが、複数の接点によって検出された抵抗を提供する導電線を含み、抵抗が、キーコードを定める、請求項１０に記載の医療装置システム。
【請求項１２】
メータが、試験センサ上の導電線と接続しかつ導電線を介して試薬と試験センサ上の試料との間の反応に対応する較正コードを受信するように構成された複数の接点であり、ハードウェアキーからキーコードを受信するように更に構成された複数の接点、を更に含み、ハードウェアキーによって提供されたキーコードが検証されない限り少なくとも１つのメモリ装置上のデータを修正することができない、請求項９に記載の医療装置システム。
【請求項１３】
医療装置が、ハードウェアキーインターフェイスに接続されたハードウェアキーを検出するように構成された検出器を更に含む、請求項８に記載の医療装置システム。
【請求項１４】
ハードウェアキーがキーコードコンポーネント及び導電線を含み、ハードウェアキーインターフェイスが導電線を介してキーコードを受信し、ハードウェアキーによって提供されるキーコードが検証されない限り少なくとも１つのメモリ装置上のデータを修正することができない、請求項８に記載の医療装置システム。
【請求項１５】
医療装置システムのための方法であり、
通信インターフェイスによって定められた第１の通信経路を介して医療装置と外部の装置又はネットワークとの間に接続を確立する工程と；
コマンドシーケンスを実行することを含む、修正処理を開始する工程と；
医療装置とハードウェアキーとの間の物理的な接続を検出する工程であって、ハードウェアキーが、ハードウェアキーインターフェイスによって定められた第２の通信経路を介して医療装置に接続され、第２の通信経路が第１の通信経路とは別個である、工程と；
修正処理に従って医療装置上の少なくとも１つのメモリ装置に記憶されたデータを修正する工程と、を含む方法であって、
ハードウェアキーインターフェイスがハードウェアキーに物理的に接続されない限り少なくとも１つのメモリ装置上のデータを修正することができない、方法。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
第一実質的平面表面、第二実質的平面表面、少なくとも一つのウェル及び少なくとも一つのシグナルプロバイダーを備えるプレートであって、
前記第一実質的平面表面は、そこで規定される少なくとも一つの第一開口部を備え、
前記第二実質的平面表面は、前記第一実質的平面表面と実質的に平行であり、
前記第二実質的平面表面は、前記第一実質的平面表面から間隔を置いて配置されており、
前記少なくとも一つのウェルは、前記プレート内で規定され、
前記少なくとも一つのウェルは、前記少なくとも一つの第一開口部の1つに対応しそれと整列配置した第二開口部を備え、
前記少なくとも一つのウェルは、側壁及び底部を備え、
前記少なくとも一つのウェルは、前記第一実質的平面表面から前記第二実質的平面表面の方へ延在しており、
前記少なくとも一つのウェルは、前記第一実質的平面表面から離れるように変位可能であり、
前記少なくとも一つのシグナルプロバイダーは、前記少なくとも一つのウェルと機能的に関連しており、
前記第一表面から離れる前記少なくとも一つのウェルの変位に応答してシグナルを提供することができる、プレート。
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
肝臓組織試料の細胞表現型を決定する方法であって:
(1)該肝臓組織試料からマーカータンパク質を抽出すること;
(2)該肝臓組織試料における複数のマーカータンパク質の発現レベルを決定すること(ここで、該複数のマーカータンパク質は、表1A、表2〜11のうちのいずれか1つによって表されるバイオマーカーパネルから選択される);任意に、表1A、表2〜11のうちのいずれか1つによって表されるバイオマーカーパネルから選択される異なる複数のマーカータンパク質を用いて、工程(2)を反復すること;
(3)該決定された発現レベルを既知の細胞表現型における該複数のマーカータンパク質の発現レベルの参照セットと比較し、それにより、該肝臓組織試料の細胞表現型を決定すること
を含む、前記方法。
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
ケーブルと前記ケーブルに結合される複数の負荷とを含むケーブルシステムにおける問題を検出するデバイスであって、
前記ケーブルに、第１の調査信号を注入するインジェクタと、
前記ケーブルから、前記第１の調査信号の第１の反射を含む第１の反射信号を受信する受信器と、
前記第１の反射信号を反射値に変換し、前記反射値と基準値との差分を求める、プロセッサであって、前記反射値と前記基準値との差分を求めることは、前記問題を表わす閾値以上である場合の、前記差分のうちの最初に生じる差分を求めること、及び、前記問題の場所を表わす前記最初に生じる差分の瞬間を求めること、を含む、プロセッサと、
を含み、
前記プロセッサは、前記ケーブルシステムにおける問題がなかった瞬間において注入されている、前に注入された調査信号からの反射を含む、前に受信された反射信号を、前記基準値に変換する、デバイス。
【請求項２】
前記インジェクタは、前記第１の調査信号の後に、前記ケーブルに、第２の調査信号を注入し、前記受信器は、前記ケーブルから、前記第２の調査信号の第２の反射を含む第２の反射信号を受信し、前記プロセッサは、前記第２の反射信号を反射値に変換し、前記プロセッサは、前記ケーブルシステムにおける問題がなかった瞬間において注入されている、前に注入された調査信号からの反射を含む、前に受信された反射信号を、前記基準値に変換する、請求項１に記載のデバイス。
【請求項３】
前記プロセッサは、各反射値を各基準値と比較することによって、前記反射値と前記基準値との前記差分を求める、請求項１に記載のデバイス。
【請求項４】
前記プロセッサは、１つ以上の反射値を第１の関数に挿入して、第１の結果を計算し、１つ以上の基準値を第２の関数に挿入して、第２の結果を計算し、前記第１の結果と前記第２の結果とを互いに比較することによって、前記反射値と前記基準値との前記差分を求める、請求項１に記載のデバイス。
【請求項５】
前記プロセッサは、１つ以上の反射値及び１つ以上の基準値を第３の関数に挿入して、第３の結果を計算し、前記第３の結果を前記閾値と比較することによって、前記反射値と前記基準値との前記差分を求める、請求項１に記載のデバイス。
【請求項６】
前記インジェクタは、第１のパルス信号を生成する生成器を含み、前記第１の調査信号は、前記第１のパルス信号を含む、請求項１に記載のデバイス。
【請求項７】
前記インジェクタは、前記ケーブルを介して、前記複数の負荷に給電するために給電信号を切り替えるスイッチを含む、請求項１に記載のデバイス。
【請求項８】
前記給電信号の位相角を検出し、検出結果に応えて、前記給電信号の所定の位相角において、前記給電信号をオフに切り替えるために前記スイッチを制御するコントローラを更に含む、請求項７に記載のデバイス。
【請求項９】
０．１秒より短い第１の時間間隔の間、前記給電信号を中断するために前記スイッチを制御するコントローラを更に含む、請求項７に記載のデバイス。
【請求項１０】
請求項１に記載のデバイスを含み、ケーブル、負荷及び／又は電源を更に含む、収集システム。
【請求項１１】
ランプの形式の前記負荷を含む、請求項１０に記載の収集システム。
【請求項１２】
ケーブルと前記ケーブルに結合される複数の負荷とを含むケーブルシステムにおける問題を検出する方法であって、第１の調査信号が前記ケーブルに注入され、前記第１の調査信号の第１の反射を含む第１の反射信号が、前記ケーブルから受信され、前記方法は、
前記第１の反射信号を反射値に変換するステップと、
前記反射値と基準値との差分を求めるステップと、
を含み、
前記反射値と前記基準値との差分を求める前記ステップは、
前記問題を表す閾値以上である場合の、前記差分のうちの最初に生じる差分を求めるステップと、
前記問題の場所を表す前記最初に生じる差分の瞬間を求めるステップと、を含み、
前記基準値は、前記ケーブルシステムにおける問題がなかった瞬間において注入されている、前に注入された調査信号からの反射を含む、前に受信された反射信号から変換されるものである、方法。
【請求項１３】
請求項１２に記載の方法のステップを実行するためのコンピュータプログラム。
【請求項１４】
請求項１３に記載のコンピュータプログラムを記憶して含む、媒体。